(57)【要約】【課題】従来のスプリング式コンタクトを使用した端子台接続治具は、外部接続端子台の１端子当たり、１個のコンタクトを使用していたため接触不良を起こすことが多々あった。【解決手段】端子台接続治具１は、複数の外部端子を備えた外部接続端子台１０１に取り付けられて、外部端子にスプリング式コンタクトを接触させることにより、外部端子と、スプリング式コンタクトに結線した模擬試験ケーブル１０３を接続する。スプリング式コンタクトは、外部端子のＸ端子に接触するＸ側のスプリング式コンタクト２と、Ｙ端子に接触するＹ側のスプリング式コンタクト３とからなっている。Ｘ側のスプリング式コンタクト２と、Ｙ端子に接触するＹ側のスプリング式コンタクト３は、プリント基板のパターン導体１１によって接続されている。【選択図】図１
2013206637.tif 000002
【特許請求の範囲】
【請求項１】
複数の外部端子を備えた外部接続端子台に取り付けられて、上記外部端子にスプリング式コンタクトを接触させて、上記外部端子と模擬試験ケーブルを接続する端子台接続治具において、
上記スプリング式コンタクトは、１端子当たり２個設けられていることを特徴とする端子台接続治具。
【請求項２】
上記２個のスプリング式コンタクトのうちの一方のスプリング式コンタクトは、上記１端子のＸ端子に接触され、他方のスプリング式コンタクトは、上記１端子のＹ端子に接触されることを特徴とする請求項１に記載の端子台接続治具。
【請求項３】
上記２個のスプリング式コンタクトは、基板に取り付けられ、該基板に設けた導体で導通されていることを特徴とする請求項１又は２に記載の端子台接続治具。
【請求項４】
上記端子台接続治具は、上記外部接続端子台の対向面を挟着して端子台接続治具を外部接続端子台に着脱自在に取り付ける着脱機構を備え、該着脱機構は、上記端子台接続治具の対向面に軸により回動自在に取り付けられた一対の端子台挟着片と、これら一対の端子台挟着片に上記外部接続端子台に圧着する方向の回動力を付与しているスプリングを備えていることを特徴とする請求項１〜３の何れかに記載の端子台接続治具。
【請求項５】
上記一対の端子台挟着片は、上記外部接続端子台に設けた爪片係合部に係合する爪片を備えていることを特徴とする請求項４に記載の端子台接続治具。
【請求項６】
模擬試験ケーブルは、上記スプリング式コンタクトの上端部に接続されていることを特徴とする請求項１〜５の何れかに記載の端子台接続治具。
【請求項７】
模擬試験ケーブルは、上記基板に設けられていて上記スプリング式コンタクトに導通されている導体に接続されていることを特徴とする請求項３〜５の何れかに記載の端子台接続治具。
【発明の詳細な説明】
【技術分野】
【０００１】
本発明は、配電盤や制御盤等の外部接続端子台に模擬試験ケーブルをワンタッチで確実、容易に接続することの、できる端子台接続治具に関する。
【背景技術】
【０００２】
配電盤や制御盤等の性能試験は、図８に示すように、制御盤等に設けられた外部接続端子台１０１の外部端子１０２であるＸ端子１０２ａとＹ端子１０２ｂに模擬試験ケーブル１０３を接続して行われる。Ｘ端子１０２ａとＹ端子１０２ｂは導通されている。
【０００３】
従来は、模擬試験ケーブル１０３の先端にＵ字状端子１０４を取り付け、該Ｕ字状端子１０４をネジ１０５で外部端子１０２に締め付ける方法が広く採用されていたが、この方法で模擬試験ケーブル１０３を外部端子１０２に接続するためには、先ずネジ１０５を緩め、Ｕ字状端子１０４をネジ１０５の頭部と外部端子１０２の間に差し込んで、ネジ１０５を締め付けるという面倒な作業を必要とし、多数の模擬試験ケーブル１０３を外部端子１０２に接続するのには多くの作業時間を必要とし、作業能率が悪く、また、ネジ１０５が緩むとＵ字状端子１０４が脱落してしまうという欠点があった。
【０００４】
上記欠点に鑑み、効率良く多数の模擬試験ケーブル１０３を外部端子１０２に接続可能にしたものとして、図９に示すように、多数のスプリング式コンタクト１０６〜１０６を設けた端子台接続治具１０７が開発されている。該端子台接続治具１０７は、これを外部接続端子台１０１に取り付けると、図１０に示すように、スプリング式コンタクト１０６の一端部１０６ａが、ネジ１０５の頭部１０５ａに押し付けられて、スプリング（図示省略）が圧縮されて、該スプリングのバネ力でスプリング式コンタクト１０６の一端の頭部１０６ａと、ネジ１０５の頭部１０５ａを接触状態に維持する。なお、スプリング式コンタクト１０６の他端側には上記模擬試験ケーブル１０３が接続されている。
【０００５】
端子台接続治具１０７の底面には、複数のネジ１０８により端子カバー１０９が取り付けられている。
【０００６】
端子カバー１０９は、アクリル等の透明な樹脂で形成されていて、対向する辺には内側に向けて湾曲する爪部１０９ａ，１０９ｂが設けられている。そして、図１０に示すように、上記爪部１０９ａ，１０９ｂを上記外部接続端子台１０１に形成した爪係止部１０１ａ，１０１ｂに係合することにより、端子台接続治具１０７は、外部接続端子台１０１に取り付けられる。なお、端子台接続治具１０７と外部接続端子台１０１には、スプリング式コンタクト１０６の頭部１０６ａをネジ１０５の頭部１０５ａに押し付けた時にスプリング式コンタクト１０６の頭部１０６ａを退避させる退避孔１１０と、該退避孔１１０に連通する退避溝１１１が形成されている。（例えば特開２００２−７１７１１号公報、特開２００９−２３８６５３号公報）。
【先行技術文献】
【特許文献】
【０００７】
【特許文献１】特開２００２−７１７１１号公報
【特許文献２】特開２００９−２３８６５３号公報
【発明の概要】
【発明が解決しようとする課題】
【０００８】
ところで、上記従来の端子台接続治具１０７は、図１０に示すように、Ｘ端子１０２ａとＹ端子１０２ｂからなる１端子当たり、１個のスプリング式コンタクト１０６を１箇所で１端子に接触させる構成になっていたために、何等かの理由により、スプリング式コンタクト１０６の頭部１０６ａをネジ１０５の頭部１０５ａに押し付ける力が無くなると接触不良を起こし、端子１０２と模擬試験ケーブル１０３を接続できなくなる恐れがあった。
【０００９】
また、上述したように、アクリル等の透明な樹脂で形成した端子カバー１０９の対向する辺に内側に向けて湾曲する爪部１０９ａ，１０９ｂを設け、これら爪部１０９ａ，１０９ｂを外部接続端子台１０１に形成した爪係止部１０１ａ，１０１ｂに係合することにより、端子台接続治具１０７を、外部接続端子台１０１に取り付ける構成になっていたため、爪部１０９ａ，１０９ｂが撓み難いと、爪部１０９ａ，１０９ｂを爪係止部１０１ａ，１０１ｂに係合するのが困難になり、また、爪部１０９ａ，１０９ｂが撓み易いと、端子台接続治具１０７が外部接続端子台１０１から容易に外れ落ちてしまうという問題点があった。
【００１０】
本発明は、上記従来例の問題点を解決し、一つのスプリング式コンタクト１０６が端子と接触不良を起こした場合でも、端子と端子１０２と模擬試験ケーブル１０３の接続を確保し、信頼性を向上させることのできる端子台接続治具を提供すること、及び外部接続端子台への着脱を容易かつ確実に行うことのできる端子台接続治具を提供することにある。
【課題を解決するための手段】
【００１１】
請求項１の発明は、複数の外部端子を備えた外部接続端子台に取り付けられて、上記外部端子にスプリング式コンタクトを接触させ、上記外部端子と模擬試験ケーブルを接続する端子台接続治具において、上記スプリング式コンタクトは、１端子当たり２個設けられていることを特徴とする。
【００１２】
請求項２の発明は、請求項１の端子台接続治具において、上記２個のスプリング式コンタクトのうちの一方のスプリング式コンタクトは、上記１端子のＸ端子に接触され、他方のスプリング式コンタクトは、上記Ｘ端子に導通された端子のＹ端子に接触されることを特徴とする。
【００１３】
請求項３の発明は、請求項１又は２の端子台接続治具において、上記２個のスプリング式コンタクトは、これらスプリング式コンタクトを取り付けた基板に設けた導体によって導通されていることを特徴とする。
【００１４】
請求項４の発明は、請求項１〜３の何れかに記載の端子台接続治具において、該端子台接続治具は、上記外部接続端子台の対向面を挟着して端子台接続治具を外部接続端子台に着脱自在に取り付ける着脱機構を備え、該着脱機構は、上記端子台接続治具の対向面に軸により回動自在に取り付けられた一対の端子台挟着片と、これら一対の挟着片に上記外部接続端子台に圧着する方向の回動力を付与しているスプリングを備えていることを特徴とする。
【００１５】
請求項５の発明は、請求項４に記載の端子台接続治具において、上記一対の端子台挟着片は、上記外部接続端子台に設けた爪片係合部に係合する爪片を備えていることを特徴とする。
【００１６】
請求項６の発明は、請求項１〜５に記載の端子台接続治具において、上記模擬試験ケーブルを、上記スプリング式コンタクトの上端部に接続した。
【００１７】
請求項７の発明は、請求項３〜５に記載の端子台接続治具において、上記模擬試験ケーブルを上記基板に設けられていて上記スプリング式コンタクトに導通されている導体に接続した。
【発明の効果】
【００１８】
（１）請求項１の端子台接続治具は、１端子当たり２個のスプリング式コンタクトを設けたので、一方のスプリング式コンタクトが接触不良を起こした場合でも、他方のスプリング式コンタクトで接触状態を維持することができる。
（２）請求項２の端子台接続治具は、Ｘ端子又はＹ端子のスプリング式コンタクトのうちの一方のスプリング式コンタクトが接触不良を起こした場合でも、他方のスプリング式コンタクトで上記一方のスプリング式コンタクトの接触不良を補償することができる。
（３）請求項３の端子台接続治具は、上記２個のスプリング式コンタクトをプリント基板で導通したので、何れか一方のスプリング式コンタクトに模擬試験ケーブルを接続することにより、２個のスプリング式コンタクトの両方に模擬試験ケーブルを接続したのと同様の効果を得ることができるので、２個のスプリング式コンタクトの両方に模擬試験ケーブルを接続する場合に較べて模擬試験ケーブルの数を半減させることができる。
（４）請求項４の端子台接続治具は、着脱機構を構成する一対の端子台挟着片で外部接続端子台の対向面を挟着して端子台接続治具を外部接続端子台に着脱自在に取り付けることができる。また、一対の端子台挟着片をスプリングのバネ力に抗して押し広げ、外部接続端子台の挟着を解除することにより、端子台接続治具を外部接続端子台から取り外すことができる。
（５）請求項５の端子台接続治具は、一対の端子台挟着片に設けた爪片を、上記外部接続端子台に設けた爪片係合部に係合する構成にしたので、より確実に端子台接続治具を外部接続端子台に取り付けることができる。
（６）請求項６の端子台接続治具においては、スプリング式コンタクトの上端部に模擬試験ケーブルを接続する構成としたので、容易に模擬試験ケーブルをスプリング式コンタクトに結線することができる。
（７）請求項７の端子台接続治具においては、上記模擬試験ケーブルを、上記基板に設けられていて上記スプリング式コンタクトに導通されている導体に接続する構成としたので、スプリング式コンタクトの上端部に模擬試験ケーブルの接続スペースを設ける必要がなくなり、そのぶんスプリング式コンタクトを短くして端子台接続治具を小型化することができる。
【図面の簡単な説明】
【００１９】
【図１】第１実施形態の端子台接続治具と外部接続端子台の斜視図。
【図２】着脱機構により端子台接続治具を外部接続端子台に取り付けた状態の斜視図。
【図３】（ａ），（ｂ）は、スプリング式コンタクトの動作説明図。
【図４】スプリング式コンタクトを組み付けたコンタクト支持プレートの平面図。
【図５】挟着片の爪部が端子台の爪片係合部の係合している状態を示す説明図。
【図６】第２実施形態の端子台接続治具と外部接続端子台の斜視図。
【図７】挟着片の他の実施例を示す説明図。
【図８】従来例の説明図。
【図９】スプリング式コンタクトを使用した従来の端子台接続治具の説明図。
【図１０】（ａ）と（ｂ）は、端子台接続治具取り付け前と取り付け後の説明図。
【発明を実施するための形態】
【００２０】
以下、本発明の第１実施形態を図１〜図６を参照して説明する。図１において、１０１は制御盤等に設けられた外部接続端子台、１は外部接続端子台１０１の外部端子１０２ａ，１０２ｂ（図２参照）に模擬試験ケーブル１０３を接続する端子台接続治具である。
【００２１】
外部接続端子台１０１は、図示を省略したＸ端子とＹ端子を１対として１６対の外部端子が設けられている。
【００２２】
図１に示すように、端子台接続治具１は、上記外部接続端子台１０１の１６個のＸ端子に接触する１６個のＸ側のスプリング式コンタクト２と、１６個のＹ端子に接触する１６個のＹ側のスプリング式コンタクト３を備えている。１６個のＹ側のスプリング式コンタクト２には夫々、模擬試験ケーブル１０３が接続されている。
【００２３】
そして、図２に示すように、端子台接続治具１を外部接続端子台１０１に取り付けると、図３（ａ），（ｂ）に示すように、Ｘ側のスプリング式コンタクト２の一端部が外部接続端子台１０１のＸ端子１０１ａに接触すると共に、Ｙ側のスプリング式コンタクト２の一端部が外部接続端子台１０１のＹ端子１０１ｂに接触する。
【００２４】
Ｘ側とＹ側のスプリング式コンタクト２，３は、基板４に形成したコンタクト取付孔５に挿入されていてバレル６とナット７により基板４に取り付けられたロッド８と、ロッド８の一端部を挿入することによりスライド可能に取り付けられていて上記外部接続端子台１０１のＸ端子１０１ａ又はＹ端子１０１ｂに接触するプランジャ９と、プランジャ９を上記Ｘ端子１０１ａ又はＹ端子１０１ｂに圧着させる圧縮コイルスプリング１０を備えている。Ｘ側のスプリング式コンタクト２の他端部には、模擬試験ケーブル１０３が接続されている。
【００２５】
上記基板４には、図４に示すように、上記コンタクト取付孔５を形成したプリント基板が使用されている。上記基板４には、配線パターン導体１１が形成されていて、これら導体１１によりＸ側のスプリング式コンタクト２とＹ側のスプリング式コンタクト３が接続されている。
【００２６】
次に、端子台接続治具１を外部接続端子台１０１に着脱自在に取り付ける着脱機構１２を図１，図２を参照して説明する。
【００２７】
着脱機構１２は、端子台接続治具１に設けられていて、外部接続端子台１０１の対向面を挟着して端子台接続治具１を外部接続端子台１０１に着脱自在に取り付ける構成になっている。
【００２８】
着脱機構１２は、端子台接続治具１の長手方向の両端側の対向面に取り付けたベースプレート１３に軸１４を介して回動自在に取り付けられた一対の端子台挟着片１５，１６と、これら一対の端子台挟着片１５，１６を上記外部接続端子台１０１に圧着する方向の回動力を付与している回動力付与スプリング（図示省略）を備えている。
【００２９】
一対の端子台挟着片１５，１６は、下端部に外部接続端子台１０１側に突出する爪片１７を備えている。爪片１７は、一対の端子台挟着片１５，１６で外部接続端子台１０１を挟着したときに、外部接続端子台１０１の底部の爪片係合部１１２に係合して、一対の端子台挟着片１５，１６から外部接続端子台１０１から抜けるのを防止する。爪片係合部１１２は、図５に示すように、外部接続端子台１０１を制御盤等の端子台取付面１１３に取り付ける固定板１１４等により外部接続端子台１０１の底部を制御盤１１３から浮き上がらせることにより形成されているが、外部接続端子台１０１の側面に爪片１７を挿入する溝部を形成してもよい。
【００３０】
次に、外部接続端子台１０１への端子台接続治具１の取り付け方法及び外部接続端子台１０１の作用について説明する。
【００３１】
端子台接続治具１の外部接続端子台１０１への取り付けは以下のようにして行なわれる。先ず、一対の端子台挟着片１５，１６の上端側の押圧操作部１５ａ，１６ａを図２の矢印Ａ方向に押圧して、端子台挟着片１５，１６の下端側の間隔を開いて、端子台挟着片１５，１６間に、外部接続端子台１０１を挿入する。
【００３２】
端子台接続治具１の下端が外部接続端子台１０１の上端に当接するまで挿入して押圧を解除すると、上記回動力付与スプリングのバネ力で回動して、端子台挟着片１５，１６で外部接続端子台１０１を挟着すると共に、挟着片１５，１６の下端に設けた爪片１７が外部接続端子台１０１の底部に設けた爪片係合部１１２に係合して、端子台接続治具１は、外部接続端子台１０１に取り付けられた状態になる。
【００３３】
端子台接続治具１を外部接続端子台１０１に取り付けると、図３に示すように、
Ｘ側とＹ側のスプリング式コンタクト２，３のプランジャ８は、外部接続端子台１０１のＸ，Ｙ端子１０１ａ，１０１ｂに接触し、圧縮コイルスプリング９のバネ力で押し付けられる。
【００３４】
Ｘ側とＹ側のスプリング式コンタクト２，３は、図４に示したように、基板４にプリントされた導体１１によって接続されているので、Ｘ側とＹ側のスプリング式コンタクト２，３の内の何れか一方のコンタクトが接触不良を起こした場合でも他方のコンタクトで上記一方のコンタクトが接触不良を補償し、端子台接続治具の信頼性を向上させることができる。
【００３５】
図７は第２実施形態を示す。上記第２実施形態において、模擬試験ケーブル１０３は、スプリング式コンタクトト２，３を取り付けた基板４に設けられていて、スプリング式コンタクトト２，３相互を導通させている導体１１に接続されている。模擬試験ケーブル１０３は、絶縁被覆を剥いだ先端部１０３ａを基板４に設けた孔４ａに挿入して半田１８付けすることにより基板４に接続されている。なお、１９はコネクタである。
【００３６】
上記第１実施形態においては、スプリング式コンタクト２，３の上端部に模擬試験ケーブル１０３を接続する場合を示したが、この場合には、スプリング式コンタクト２，３の上端部に模擬試験ケーブル１０３を接続するための接続スペースを確保しなければならず、スプリング式コンタクトが長くなり、そのぶん端子台接続治具が大型になるという問題点がある。そこで、第２実施形態においては、スプリング式コンタクト２，３に導通させた基板４の導体１１に模擬試験ケーブル１０３を接続することにより、スプリング式コンタクト２，３の上端部に模擬試験ケーブル１０３の接続する部分を不要とし、そのぶんスプリング式コンタクト２，３を短くして端子台接続治具を小型化することを可能にした。その他の構成は、第１実施形態の場合と同様であるので重複する説明は省略する。
【００３７】
なお、実施例では、１６極端子台を例にとって説明したが極数は問わない。また、着脱機構１２は、実施例のものに限定されず、要は簡単確実に端子台接続治具１を外部接続端子台１０１に取り付けることの出来る構成、例えば、図７に示すように、コ字状の板材で、一対の端子台挟着片１５，１６を形成して、ネジ１８で端子台接続治具１の両側面に取り付けて、これら一対の端子台挟着片１５，１６で端子台１０１を挟着する構成であってもよい。
【符号の説明】
【００３８】
１…端子台接続治具
２…Ｘ側のスプリング式コンタクト
３…Ｙ側のスプリング式コンタクト
４…コンタクト支持プレート
５…コンタクト取付孔
６…バレル
７…ナット
８…ロッド
９…プランジャ
１０…回動力付与スプリング
１１…コンタクト支持プレート（プリント基板）の配線パターン
１２…着脱機構
１３…ベースプレート
１４…軸
１５，１６…挟着片
１７…爪片
１０１…外部接続端子台
１０２…外部端子
１０３…模擬試験ケーブル
１１２…爪片係合部
【図１】
2013206637.tif 000003
【図２】
2013206637.tif 000004
【図３】
2013206637.tif 000005
【図４】
2013206637.tif 000006
【図５】
2013206637.tif 000007
【図６】
2013206637.tif 000008
【図７】
2013206637.tif 000009
【図８】
2013206637.tif 000010
【図９】
2013206637.tif 000011
【図１０】
2013206637.tif 000012